(57)【要約】【課題】  電源をオンする操作を行うだけで、電源オン時に予め設定した音量での視聴開始を可能とする。【解決手段】  制御部１１は、適音ボタン３４が押されることによって電源がオンされた場合には、適音設定音量での出力指示を音声制御回路１６に対して行い、電源ボタン３１によって電源がオンされた場合には、現状設定されている音量と前記適音設定音量とを比較し、現状設定音量が適音設定音量に対して一定の範囲内にある場合には、その時点で現状設定音量での出力指示を音声制御回路１６に対して行い、現状設定音量が適音設定音量に対して一定の範囲内にない場合には、タイマー回路１９によって一定時間の計測を開始するとともに、その一定時間の計測中に適音ボタン３４またはボリュームボタン３３が押されたか否かを確認し、適音ボタン３４またはボリュームボタン３３が押された場合には、それぞれのボタンに合った音量での出力指示を音声制御回路１６に対して行う。【選択図】  図１
2007081617.tif 000002
【特許請求の範囲】
【請求項１】
指示された音量出力レベルに従って音声信号を増幅しスピーカから出力する音量制御手段と、この音量制御手段に対して所定音量の出力指示を行う制御手段とを備えたテレビ装置において、
前記スピーカから出力する音量を予め視聴者の好みの音量に設定する機能及び電源オン機能を有する適音ボタンと、一定時間を計測する計測手段と、現在時刻を計時する時計手段とをさらに備え、
前記適音設定音量は、視聴する時間帯に応じて予め複数種類設定可能に設けられており、
前記制御手段は、
前記適音ボタンが押されることによって電源がオンされた場合には、前記適音ボタンに予め設定されている適音設定音量での出力指示を前記音量制御手段に対して行う処理と、
電源ボタンによって電源がオンされた場合には、現状設定されている音量と前記適音ボタンに予め設定されている適音設定音量とを比較し、現状設定音量が適音設定音量に対して一定の範囲内にある場合には、その時点で現状設定音量での出力指示を前記音量制御手段に対して行う処理と、
現状設定音量が適音設定音量に対して一定の範囲内にない場合には、前記計測手段によって一定時間の計測を開始するとともに、その一定時間の計測中に前記適音ボタンまたはボリュームボタンが押されたか否かを確認し、前記適音ボタンが押された場合には、その時点で前記適音ボタンに予め設定されている適音設定音量での出力指示を前記音量制御手段に対して行う一方、前記ボリュームボタンが押された場合には、その時点で現状設定音量での出力指示を前記音量制御手段に対して行い、かつ、ボリュームボタンの操作に従って音量アップ・ダウン指示を前記音量制御手段に対して行う処理と、
前記一定時間の計測を終了したときには、その時点で現状設定音量での出力指示を前記音量制御手段に対して行う処理とを実行するとともに、
現状設定音量と適音設定音量との比較の結果、現状設定音量が適音設定音量に対して一定の範囲内にない場合には、現状設定音量が適音設定音量に対してどのレベルにあるのかを示す画面をモニタに表示する処理と、
前記適音ボタンが押された場合には、その適音ボタンが押された時刻から適音設定音量の設定された時間帯を検出し、その時間帯に対応して設定されている適音設定音量を当該適音ボタンに予め設定されている適音設定音量と見做してその後の処理を行う処理とをさらに実行することを特徴とするテレビ装置。
【請求項２】
指示された音量出力レベルに従って音声信号を増幅しスピーカから出力する音量制御手段と、この音量制御手段に対して所定音量の出力指示を行う制御手段とを備えたテレビ装置において、
前記スピーカから出力する音量を予め視聴者の好みの音量に設定する機能及び電源オン機能を有する適音ボタンを備えており、
前記制御手段は、前記適音ボタンが押されることによって電源がオンされた場合には、前記適音ボタンに予め設定されている適音設定音量での出力指示を前記音量制御手段に対して行うことを特徴とするテレビ装置。
【請求項３】
前記制御手段は、電源ボタンによって電源がオンされた場合には、現状設定されている音量と前記適音ボタンに予め設定されている適音設定音量とを比較し、現状設定音量が適音設定音量に対して一定の範囲内にある場合には、その時点で現状設定音量での出力指示を前記音量制御手段に対して行うことを特徴とする請求項２に記載のテレビ装置。
【請求項４】
一定時間を計測する計測手段をさらに備え、
前記制御手段は、現状設定音量と適音設定音量との比較の結果、現状設定音量が適音設定音量に対して一定の範囲内にない場合には、前記計測手段によって一定時間の計測を開始するとともに、その一定時間の計測中に前記適音ボタンまたはボリュームボタンが押されたか否かを確認し、前記適音ボタンが押された場合には、その時点で前記適音ボタンに予め設定されている適音設定音量での出力指示を前記音量制御手段に対して行う一方、前記ボリュームボタンが押された場合には、その時点で現状設定音量での出力指示を前記音量制御手段に対して行い、かつ、ボリュームボタンの操作に従って音量アップ・ダウン指示を前記音量制御手段に対して行うことを特徴とする請求項２に記載のテレビ装置。
【請求項５】
前記制御手段は、前記一定時間の計測を終了したときには、その時点で現状設定音量での出力指示を前記音量制御手段に対して行うことを特徴とする請求項４に記載のテレビ装置。
【請求項６】
前記制御手段は、現状設定音量と適音設定音量との比較の結果、現状設定音量が適音設定音量に対して一定の範囲内にない場合には、現状設定音量が適音設定音量に対してどのレベルにあるのかを示す画面をモニタに表示することを特徴とする請求項４に記載のテレビ装置。
【請求項７】
前記制御手段は、現状設定音量と適音設定音量との比較の結果、現状設定音量が適音設定音量に対して一定の範囲内にない場合には、その時点で、現状設定音量での出力指示を、または適音設定音量での出力指示を、または現状設定音量での出力指示と適音設定音量での出力指示とを交互に、前記音量制御手段に対して行うことを特徴とする請求項６に記載のテレビ装置。
【請求項８】
現在時刻を計時する時計手段をさらに備え、
前記適音設定音量は、視聴する時間帯に応じて予め複数種類設定可能に設けられており、
前記制御手段は、前記適音ボタンが押された場合には、その適音ボタンが押された時刻から適音設定音量の設定された時間帯を検出し、その時間帯に対応して設定されている適音設定音量を当該適音ボタンに予め設定されている適音設定音量と見做してその後の処理を行うことを特徴とする請求項２ないし請求項７のいずれかに記載のテレビ装置。
【請求項９】
前記適音設定音量は、任意の時間帯に応じて１種類のみ設定可能とし、他の時間帯についての適音設定音量は、前記任意の時間帯での適音設定音量から予め設定された一定レベルだけ変更することで設定することを特徴とする請求項８に記載のテレビ装置。
【請求項１０】
前記一定レベルは視聴者により設定可能に設けられていることを特徴とする請求項９に記載のテレビ装置。
【発明の詳細な説明】
【技術分野】
【０００１】
本発明は、ブラウン管テレビ、液晶テレビ、プラズマテレビ、プロジェクションテレビをはじめ、ビデオ一体型テレビ、ＨＤ（ハードディスク）内蔵型テレビ、ＤＶＤ一体型テレビといった各種のテレビ装置に係り、より詳細には、電源オン時に予め設定した音量で視聴を可能としたテレビ装置に関する。
【背景技術】
【０００２】
従来のテレビ装置は、最後に視聴した人が設定した音量がメモリされており、次に電源をオンしたときには、このメモリされている音量（現状設定音量）にて視聴を開始することになる。そのため、視聴者は、その音量が自分の好みの音量でなかった場合には、リモコン等に設けられているボリュームボタンを操作して、自分の視聴したい音量に調整する必要があった。特に、最後に視聴した人が昼間に大音量で視聴していた場合に、深夜に他の人がテレビの電源をオンした場合には、深夜であるにも関わらず、いきなり大音量で視聴が開始されるため、視聴者はあわててボリュームボタンを操作し、音量を下げることになる。また逆に、最後に視聴した人が深夜に極めて小さい小音量で視聴していた場合に、朝や昼間に他の人がテレビの電源をオンした場合には、外部の騒音や室内の騒音等に邪魔されてほとんど聞こえない状態で視聴が開始されるため、視聴者はボリュームボタンを操作して、音量を上げることになる。
【０００３】
そこで、このようなボリュームボタンの操作による音量設定とは別に、視聴者の好みに応じた最適な音量値に自動的に設定可能としたテレビ装置（テレビジョン受像機）が提案されている（例えば、特許文献１参照）。
【０００４】
この特許文献１に記載のテレビ装置によれば、視聴者が一度最適な音量値に設定すれば、時刻と視距離に応じた最適な音量値が自動的に調整されるようになっている。具体的には、視距離状態を視距離選択制御部で選択し、その状態をメモリに書込みまたはメモリから読出して視距離状態と音量制御部で設定した音量値と時計制御部でカウントする時刻とに基づき、最適な音量値をファジイ推論部で演算してその結果を音声出力部に出力するようになっている。これにより、テレビを視聴しているときに、その視距離状態と音量値と時刻とに基づいて、常に最適な音量に設定することが可能である。
【０００５】
また、上記のようなボリュームボタンの操作による音量設定に関し、入力ソース毎に音量レベルの変化量データを設定することができ、選択された入力ソースに応じて変化量データを切り換えて、出力音声信号の音量レベルを調整するテレビ装置（テレビジョン受像装置）も提案されている（例えば、特許文献２参照）。
【０００６】
この特許文献２に記載のテレビ装置は、制御部のＲＡＭに、入力ソース毎に初期値データと変化量データとが記憶されており、選択された入力ソースに応じた初期値データに出力音声信号の音量レベルを調整するようになっている。そして、この状態で視聴者が操作部やリモコンによりボリュームボタンを変更すると、ＲＡＭに記憶された変化量データに応じて、出力音声信号の音量レベルが調整されるようになっている。また、入力ソースが切り替わると、この新しい入力ソースに応じて、ＲＡＭに記憶された初期値データに基づいて出力音声信号の音量レベルが調整され、変化量データもＲＡＭの記憶内容に基づいて新しい入力ソースに応じた大きさに切り替わるようになっている。
【０００７】
さらに、予め設定された複数の音量の設定レベルを複数の操作キーに割り当て、音量の設定レベルが割り当てられた複数の操作キーのうちの１つを操作することによって、映像音量機器が出力する音声出力の音量を設定するように構成されたテレビ装置（音量設定装置）も提案されている（例えば、特許文献３参照）。
【特許文献１】特開平５−３４１３号公報
【特許文献２】特開２００４−３２２２６号公報
【特許文献３】特開２００３−１８９１１９号公報
【発明の開示】
【発明が解決しようとする課題】
【０００８】
上記特許文献１のテレビ装置によれば、テレビの視聴中において、その視距離状態と音量値と時刻とに基づいて、自動的に最適な音量に設定することが可能である。また、上記特許文献２のテレビ装置によれば、入力ソース毎に最適な初期値データと音量レベルの変化量データとが選択できるので、ボリュームボタンの操作回数を少なくすることが可能である。さらに、上記特許文献３のテレビ装置によれば、音量出力の設定変更を操作キーの少ない操作回数で行うことが可能である。
【０００９】
しかし、上記特許文献１〜３に記載の技術は、いずれもテレビを視聴中の音量制御であり、電源オン時の制御ではない。また、特許文献１のテレビ装置では、最適な音量値に調整するのにファジイ理論を用いた演算処理を行うため、煩雑な処理が必要になるといった問題もあった。さらに、上記特許文献２，３のテレビ装置では、いずれにしても電源オン後にボリュームボタンや操作キーの操作が必ず必要となり、従来のボリュームボタンの操作と基本的には何ら変わらないといった問題もあった。
【００１０】
本発明はかかる問題点を解決すべく創案されたもので、その目的は、基本的に電源をオンする操作を行うだけで、電源オン時に予め設定した音量での視聴開始を可能としたテレビ装置を提供することにある。
【課題を解決するための手段】
【００１１】
上記課題を解決するため、本発明のテレビ装置は、指示された音量出力レベルに従って音声信号を増幅しスピーカから出力する音量制御手段と、この音量制御手段に対して所定音量の出力指示を行う制御手段とを備えたテレビ装置において、前記スピーカから出力する音量を予め視聴者の好みの音量に設定する機能及び電源オン機能を有する適音ボタンを備えており、前記制御手段は、前記適音ボタンが押されることによって電源がオンされた場合には、前記適音ボタンに予め設定されている適音設定音量での出力指示を前記音量制御手段に対して行うことを特徴とする。すなわち、本発明によれば、適音ボタンが電源オンボタンも兼ねており、テレビの電源オン時から自分の好みに合った音量で視聴したい場合には、この適音ボタンを押して電源をオンすればよい。これにより、電源オン時の視聴開始から、視聴音量を自分の聞きたい音量に一発で調整することができる。
【００１２】
また、本発明のテレビ装置によれば、前記制御手段は、電源ボタンによって電源がオンされた場合には、現状設定されている音量と前記適音ボタンに予め設定されている適音設定音量とを比較し、現状設定音量が適音設定音量に対して一定の範囲内にある場合には、その時点で現状設定音量での出力指示を前記音量制御手段に対して行うように構成してもよい。すなわち、現状設定音量が適音設定音量でなかった場合でも、その音量差が視聴者の許容範囲内（前記一定の範囲内）であった場合には、現状設定音量で視聴を開始することができる。これにより、時間をかけずに視聴者の好みに近い音量で視聴を開始することができる。
【００１３】
通常、テレビ装置では、電源オフ時の音量をメモリに記憶しておき、次の電源オン時にそのメモリに記憶しておいた音量で視聴を開始するようになっている。すなわち、上記の現状設定音量とは、一般的にはこのメモリに記憶された電源オフ時の音量のことである。
【００１４】
また、本発明のテレビ装置は、一定時間を計測する計測手段をさらに備えており、前記制御手段は、現状設定音量と適音設定音量との比較の結果、現状設定音量が適音設定音量に対して一定の範囲内にない場合には、前記計測手段によって一定時間の計測を開始するとともに、その一定時間の計測中に前記適音ボタンまたはボリュームボタンが押されたか否かを確認し、前記適音ボタンが押された場合には、その時点で前記適音ボタンに予め設定されている適音設定音量での出力指示を前記音量制御手段に対して行う一方、前記ボリュームボタンが押された場合には、その時点で現状設定音量での出力指示を前記音量制御手段に対して行い、かつ、ボリュームボタンの操作に従って音量アップ・ダウン指示を前記音量制御手段に対して行う。そして、前記一定時間の計測を終了したときには、その時点で現状設定音量での出力指示を前記音量制御手段に対して行うように構成してもよい。このように、電源ボタンのオン時に、現状設定音量が適音設定音量に対して一定の範囲内にない場合には、その後一定時間の間に、視聴者が適音ボタンかボリュームボタンを操作することで、その操作に従った音量で視聴を開始することができる。
【００１５】
また、本発明によれば、前記制御手段は、現状設定音量と適音設定音量との比較の結果、現状設定音量が適音設定音量に対して一定の範囲内にない場合には、現状設定音量が適音設定音量に対してどのレベルにあるのかを示す画面をモニタに表示するように構成してもよい。具体的には、現状設定音量が適音設定音量に対して例えばレベル２（ただし、ボリュームボタンを１回押したときに変化する音量をレベル１とする。）だけ大きい場合には、「現状設定音量は適音設定音量に対して＋２のレベルになっています。」等のメッセージを併せて表示する。これにより、視聴者は現状設定音量がとの程度の音量であるのかを知ることができるので、そのままの音量（すなわち、現状設定音量）でよいと判断した場合には、何も操作しないで上記の一定時間が経過するのを待てば、一定時間経過後には現状設定音量での視聴が開始されることになる。
【００１６】
また、本発明によれば、前記制御手段は、現状設定音量と適音設定音量との比較の結果、現状設定音量が適音設定音量に対して一定の範囲内にない場合には、その時点で、現状設定音量での出力指示を前記音量制御手段に対して行い、または適音設定音量での出力指示を前記音量制御手段に対して行い、または現状設定音量での出力指示と適音設定音量での出力指示とを交互に前記音量制御手段に対して行うように構成してもよい。すなわち、現状設定音量が適音設定音量に対して一定の範囲内にない場合には、上記モニタへの表示と合わせて、適音設定音量または現状設定音量を実際にスピーカから放音させる。これにより、視聴者は視覚と聴覚の両方で、現在のテレビ装置の音量設定を確認できるので、どの音量で視聴を開始するのかの判断をより的確に行うことが可能となる。
【００１７】
さらに、本発明のテレビ装置によれば、現在時刻を計時する時計手段をさらに備え、前記適音設定音量は、視聴する時間帯に応じて予め複数種類設定可能に設けられており、前記制御手段は、前記適音ボタンが押された場合には、その適音ボタンが押された時刻から適音設定音量の設定された時間帯を検出し、その時間帯に対応して設定されている適音設定音量を当該適音ボタンに予め設定されている適音設定音量と見做してその後の処理を行うように構成してもよい。テレビ装置を視聴するときの適音は、そのときの視聴環境に応じて異なる。例えば、晩や深夜等の騒音の比較的少ない環境での視聴と、昼間の外部騒音や室内騒音（掃除機の音等）の比較的多い環境での視聴とでは、自ずと視聴の適音は異なってくる。従って、本発明では、このような視聴の時間帯を考慮し、例えば朝用の適音設定音量（例えばレベル１０等）、昼用の適音設定音量（例えばレベル１２等）、夜用の適音設定音量（例えばレベル８等）の３種類の適音設定音量を予め設定しておく。そして、適音ボタンが押された時間帯が例えば昼の時間帯であった場合には、昼用として設定されている適音設定音量（レベル１２等）にてテレビ装置の視聴を開始させる。これにより、視聴の最初から、周囲の騒音にも影響されない比較的大きな音量にて視聴を開始することができる。また、適音ボタンが押された時間帯が例えば夜（深夜等）の時間帯であった場合には、夜用として設定されている適音設定音量（レベル８等）にてテレビ装置の視聴を開始させる。これにより、視聴の最初から、比較的小さな音量にて視聴を開始することができるため、テレビ装置の電源オン時にいきなり大きな音が出て、あわてて音量を小さくするといったことを回避することができる。
【００１８】
この場合、前記適音設定音量は、任意の時間帯に応じて１種類のみ設定可能とし、他の時間帯についての適音設定音量は、前記任意の時間帯での適音設定音量から予め設定された一定レベルだけ変更することで設定するように構成してもよい。例えば、夜用と朝用との間のレベル差をレベル２、朝用と昼用とのレベル差をレベル２と設定しておく。そして、視聴者が、適音ボタンに設定する適音設定音量を昼用として例えばレベル１２に設定した場合には、制御手段は、適音ボタンが例えば朝に押された場合には、昼用として設定していたレベル１２から２段階レベルを低くしたレベル１０を適音設定音量として、レベル１０での出力指示を音声制御手段に対して行う。これにより、レベル１０の音量での視聴が開始されることになる。
【００１９】
なお、この一定レベルは視聴者により設定可能に設けられていてもよいし、最初から固有の値として内部に設定されていてもよい。
【発明の効果】
【００２０】
本発明のテレビ装置によれば、適音ボタンが電源オンボタンも兼ねているので、この適音ボタンを押して電源をオンすることで、電源オン時の視聴開始から、視聴音量を自分の聞きたい音量に一発で調整することができる。
【００２１】
また、本発明のテレビ装置によれば、現状設定音量が適音設定音量でなかった場合でも、その音量差が視聴者の許容範囲内であった場合には、現状設定音量で視聴を開始することができるので、電源オン時にあまり時間をかけることなく、視聴者の好みに近い音量で視聴を開始することができる。
【００２２】
また、本発明のテレビ装置によれば、電源ボタンのオン時に、現状設定音量が適音設定音量に対して一定の範囲内にない場合には、その後一定時間の間に、視聴者が適音ボタンかボリュームボタンを操作することで、その操作に従った音量で視聴を開始するように構成したので、その時点で自分の好みに合った音量を選択することができる。
【００２３】
また、本発明のテレビ装置によれば、現状設定音量が適音設定音量に対して一定の範囲内にない場合には、現状設定音量が適音設定音量に対してどのレベルにあるのかを示す画面をモニタに表示するように構成したので、視聴者は現状設定音量がとの程度の音量であるのかを知ることができるため、そのままの音量（すなわち、現状設定音量）でよいと判断した場合には、何も操作しないでも、一定時間経過後には現状設定音量での視聴が可能となる。
【００２４】
また、本発明のテレビ装置によれば、現状設定音量が適音設定音量に対して一定の範囲内にない場合には、その時点で、現状設定音量または適音設定音量で実際にスピーカから放音させるように構成したので、視聴者は視覚と聴覚の両方で、現在のテレビ装置の音量設定を確認できるため、どの音量で視聴を開始するのかの判断をより的確に行うことができる。
【００２５】
さらに、本発明のテレビ装置によれば、適音ボタンが押された場合に、その適音ボタンが押された時刻から適音設定音量の設定された時間帯を検出し、その時間帯に対応して設定されている適音設定音量を当該適音ボタンに予め設定されている適音設定音量と見做すように構成したので、視聴する時間帯に併せて適音設定音量を最適な音量に自動的に設定することができる。
【発明を実施するための最良の形態】
【００２６】
以下、本発明の実施の形態について、図面を参照して説明する。
【００２７】
図１は、本実施形態のテレビ装置の全体構成の一例を示すブロック図である。
【００２８】
本実施形態のテレビ装置１は、アンテナ２により受信されたデジタル放送の所定のチャンネルで放送された映像と音声を出力するものであり、制御部１１、リモコン受光回路１２、チューナ１４、表示制御回路１５、音声制御回路１６、モニタ（ディスプレイ）１７、スピーカ１８、タイマー回路１９、現在時刻を計時する時計部２０、各種データを記憶するメモリ部２１、及びリモコン３によって構成されている。
【００２９】
制御部１１は、リモコン５１から送信される各種指示に基づいてテレビ装置１の各部を制御する制御部である。具体的には、リモコン受光回路１２から、リモコン３の操作内容を示す信号が入力されると、その信号が示す操作内容に従ってチューナ１４の駆動制御を行い、所定のチャンネルの電波を受信するため、アンテナ４で受信されたデジタル放送電波の復調、分離、デコード等の各種処理を実行させる。
【００３０】
制御部１１は、チューナ１４における各種処理により解析されたデータをもとに、映像に係る映像データと音声に係る音声データとを生成し、映像データを表示制御回路１５へ出力し、音声データを音声制御回路１６へ出力する。
【００３１】
また、制御部１１は、リモコン３よりスピーカ１８から出力する音量についての音量出力指示が入力された場合には、この音量出力指示に従って音声制御回路１６を駆動制御し、音声制御回路１６に音量についての制御処理を実行させる。
【００３２】
リモコン受光回路１２は、リモコン３から赤外線通信手段により送信される操作信号を受信し、リモコン３における操作内容を示す信号を生成して制御部１１へ出力する。
【００３３】
チューナ１４は、アンテナ２で受信されたデジタル放送の電波を復調し、さらに分離、デコード等の各種処理を行って解析を行う。アンテナ２で受信されるデジタル放送電波は、放送局側においてエンコード、多重化及び変調等の各種処理を経て送信されているため、チューナ１４の解析によって、放送中の番組のデータが出力される。
【００３４】
表示制御回路１５は、チューナ１４から入力されたデータに基づき制御部１１によって生成された映像データをもとに、モニタ１７を駆動制御して、モニタ１７の表示画面上に映像を表示させる。また、表示制御回路１５は、ＯＳＤ（オンスクリーンディスプレイ）機能を有しており、各種メニュー画面やメッセージ画面をモニタ１７の表示画面上に表示させる。
【００３５】
音声制御回路１６は、チューナ１４から入力されたデータをもとに制御部１１によって生成された音声データに基づいてスピーカ１８を駆動し、音声を出力させる。
【００３６】
モニタ１７は、ブラウン管、ＬＣＤ（液晶表示装置）、プラズマディスプレイパネル、あるいはスクリーンとともに設置されたプロジェクター等を備えて構成され、表示制御回路１５によって駆動制御されることで表示画面上に各種映像及びＯＳＤ画面を表示する。
【００３７】
スピーカ１８は、音声制御回路１６によって駆動されて音声を出力する。タイマー回路１９は、後述する音量制御に関する一定時間を計測するものである。時計部２０は、現在時刻を計時する。
【００３８】
メモリ部２１は、ＲＯＭ、ＲＡＭ、ＥＥＰＲＯＭ、フラッシュメモリ等の各種の揮発性及び不揮発性のメモリで構成されており、不揮発性メモリには、後述する現状設定音量や各種適音設定音量等のデータが記憶される。
【００３９】
リモコン３は、テレビ装置１が有するリモコン受光回路１２へ信号を送信してテレビ装置１を遠隔操作するための装置である。そのため、テレビ装置１の電源のオン／オフを行う電源ボタン３１、テレビ装置１が受信するチャンネルの切換を行う切換ボタン（テンキーやチャンネルアップダウンキー等）３２、音量の調節を行うボリュームボタン３３、及び視聴音量を視聴者の好みにあった音量に予め設定するための適音ボタン３４等を備えている。また、適音ボタン３４は、電源オン機能も備えている。そして、これらのキーの操作時には、操作されたキーに対応する操作信号を生成してリモコン受光回路１２へ送信するようになっている。そのため、このリモコン３は、ＬＥＤやエンコーダを含む赤外線送信手段（図示省略）を備えており、この赤外線通信手段を用いてテレビ装置１に対して各種信号を送信する。
【００４０】
上記構成において、制御部１１は、適音ボタン３４が押されることによってテレビ装置１の電源がオンされた場合、及び電源ボタン３１が押されることによってテレビ装置１の電源がオンされた後、適音ボタン３４が押された場合には、メモリ部２１に予め記憶されている適音設定音量での出力指示により音声制御回路１６を駆動制御し、音声制御回路１６に音量制御処理を実行させる。
【００４１】
以下、テレビ装置１の電源オン時または電源オン後に、適音ボタン３４やボリュームボタン３３等が押された場合の音量制御に関する処理動作について、具体的に実施例を挙げて説明するが、まずその前に、適音ボタン３４に視聴者の好みの音量（適音設定音量）を設定する処理手順について説明する。
【００４２】
＜適音設定音量の設定処理＞
まず、視聴者は、リモコン３の電源ボタン３１を押すことによってテレビ装置１の電源をオンし、次に、図示しないメニューボタンを押すことによってモニタ１７に図２（ａ）に示すメニュー画面を表示させる。そして、そのメニュー画面の中の「適音ボタン設定」の項目５１を選択すると、図２（ｂ）に示すような適音音量の設定窓５２が表示されるので、この設定窓５２の中に視聴者が適音と考える音量レベル（例えばレベル１０等）を切換ボタン３２のテンキーやアップダウンキーを用いて入力する。その後、画面下の「決定」ボタン５３を押すことにより、この設定窓５２に設定された音量レベルが適音設定音量としてメモリ部２１に記憶される。
【００４３】
以上が、適音設定音量の設定処理の一例であるが、適音設定音量の設定処理はこのような処理手順に限るものではない。例えば、メニュー画面の中の「適音ボタン設定」の項目５１を選択すると、装置側で予め用意している複数の音量レベルを提示し、その中から視聴者が選択する、といった処理手順でもよい。また、この場合に、その設定した音量レベルの音を例えば電子音や音楽等で実際にスピーカ１８から放音するようにしておけば、視聴者は実際の音量を耳で確認しながら、自分の好みに合った適音を設定することが可能となる。
【００４４】
このようにして適音設定音量がメモリ２１に記憶されていることを前提として、以下実施例を説明する。
【実施例１】
【００４５】
本実施例１は、本実施形態のテレビ装置１の基本的な音量制御処理動作である。以下、図３に示すフローチャートを参照して説明する。
【００４６】
制御部１１は、リモコン３から送信されてくる電源オンの操作信号を常に監視している（ステップＳ１）。そして、電源オンの操作信号が送信されてきた場合には、その電源オンの操作信号が、リモコン３の適音ボタン３４が押されることによって送信されてきた電源オンの操作信号であるか否かを判断する（ステップＳ２）。この判断は、適音ボタン３４が押されることによって送信される電源オンの操作信号と、電源ボタン３１が押されることによって送信される電源オンの操作信号とに識別コードを付加しておき、制御部１１がこの識別コードを認識できるようにしておけばよい。その結果、適音ボタン３４が押されることによって電源がオンされた場合（ステップＳ２でＹｅｓと判断した場合）には、その適音ボタン３４に対応してメモリ部２１に記憶されている適音設定音量での出力指示を音声制御回路１６に対して行う。これにより音声制御回路１６は、指示された音量（この場合には、適音設定音量）にてスピーカ１８から音声等を出力する（ステップＳ９）。
【００４７】
一方、電源オンの操作信号が、適音ボタン３４が押されることによって送信されてきた操作信号でなかった場合、つまり、電源オンボタン３１が押されることによって送信されてきた電源オンの操作信号である場合（ステップＳ２でＮｏと判断された場合）には、現状設定されている音量（現状設定音量）とメモリ部２１に記憶されている適音設定音量とを比較し、現状設定音量が適音設定音量に対して一定の範囲内（例えば、適音設定音量±レベル２の範囲内）であるか否かを確認する（ステップＳ３）。ここで、現状設定音量とは、最後に視聴した人が電源オフ前に設定していた音量のことであり、通常、メモリ部２１に記憶されるようになっている。また、ここで言うレベル１とは、ボリュームボタン３３を１回押したときに変化する音量レベルのことである。
【００４８】
そして、この比較の結果、現状設定音量が適音設定音量の一定範囲内である場合（ステップＳ３でＹｅｓと判断された場合）には、メモリ部２１に記憶されている現状設定音量での出力指示を音声制御回路１６に対して行う。これにより音声制御回路１６は、指示された現状設定音量にてスピーカ１８から音声等を出力する（ステップＳ８）。
【００４９】
一方、現状設定音量が適音設定音量の一定範囲内でなかった場合（ステップＳ３でＮｏと判断された場合）には、制御部１１は、その時点でタイマー回路１９を起動して、一定時間（例えば、３秒等）の計測を開始するとともに（ステップＳ４）、その一定時間の計測中に適音ボタン３４またはボリュームボタン３３が押されたか否かを確認する（ステップＳ５〜ステップＳ７）。
【００５０】
その結果、一定時間が経過する前に適音ボタン３４が押された場合（ステップＳ５でＹｅｓと判断された場合）には、ステップＳ９へと動作を進め、その適音ボタン３４に対応してメモリ部２１に記憶されている適音設定音量での出力指示を音声制御回路１６に対して行う。これにより音声制御回路１６は、指示された音量（この場合には、適音設定音量）にてスピーカ１８から音声等を出力する。
【００５１】
一方、一定時間が経過する前にボリュームボタン３３が押された場合（ステップＳ５でＮｏ、ステップＳ６でＹｅｓと判断された場合）には、その時点でまず、メモリ部２１に記憶されている現状設定音量での出力指示を音声制御回路１６に対して行い、スピーカ１８から音声等を出力するとともに、ボリュームボタン３３のアップまたはダウン操作に従って音量のアップまたはダウン処理を行う（ステップＳ１０）。
【００５２】
また、適音ボタン３４やボリュームボタン３３が押されることなく一定時間が経過した場合（ステップＳ７でＹｅｓと判断された場合）には、その時点で、メモリ部２１に記憶されている現状設定音量での出力指示を音声制御回路１６に対して行う。これにより、音声制御回路１６は、指示された現状設定音量にてスピーカ１８から音声等を出力する（ステップＳ８）。
【実施例２】
【００５３】
本実施例２は、上記実施例１のステップＳ３でＮｏと判断されて以降の処理において、ステップＳ４で開始した一定時間の計測処理の間に、音量表示をモニタ１７に表示する実施例である。
【００５４】
すなわち、制御部１１は、ステップＳ３で現状設定音量と適音設定音量との比較の結果、現状設定音量が適音設定音量に対して一定の範囲内にないと判断した場合には、現状設定音量が適音設定音量に対してどのレベルにあるのかを示す画面をモニタ１７に表示する。例えば、適音設定音量がレベル１０に設定されており、現状設定音量が例えば昼間に電源をオフしたため、レベル１２に設定されていた場合には、図４（ａ）に示すように、「「現状設定音量は適音設定音量に対して＋２のレベルになっています。」等のメッセージを表示する。ただし、このような表示に限らず、例えば図４（ｂ）に示すように、「現状設定音量はレベル１２、適音設定音量はレベル１０に設定されています。」というように、設定音量のレベルを直接表示してもよい。
【００５５】
これにより、視聴者は現状設定音量がとの程度の音量であるのかを目視により確認することができる。この場合、そのままの音量（すなわち、現状設定音量）でよいと判断した場合には、何も操作しないで上記の一定時間（３秒）が経過するのを待てば、一定時間経過後には現状設定音量での視聴が開始されることになる（ステップＳ８）。
【実施例３】
【００５６】
本実施例３は、上記実施例２の音量表示をモニタ１７に表示するときに、合わせて所定の音量を実際にスピーカ１８から出力するようにした実施例である。すなわち、上記実施例１では、ステップＳ４で３秒間の計測を開始すると、その３秒間の間に適音ボタン３４やボリュームボタン３３の操作がされない限り、この３秒間は無音の状態が続くことになる。そこで、本実施例３ではこの３秒間の無音期間に着目し、この期間に音量設定のための参考となる音を出力するようにした実施例である。ここで、音量設定のための参考となる音とは、具体的には、現状設定音量または適音設定音量であり、以下の３つの処理が考えられる。
【００５７】
（第１の処理）
すなわち、制御部１１は、ステップＳ３での現状設定音量と適音設定音量との比較の結果、現状設定音量が適音設定音量に対して一定の範囲内にないと判断した場合には、その時点で、例えば適音設定音量での出力指示を音声制御回路１６に対して行い、スピーカ１８から適音設定音量での音を出力させる。このとき、モニタ１７には、図５（ａ）に示すようなメッセージを合わせて表示する。すなわち、「現在、適音設定音量で音を出力しています。現状設定音量はこの適音設定音量に対して＋２のレベルになっています。」等のメッセージを表示する。これにより、視聴者は、視覚と聴覚の両方で、現在のテレビ装置１の音量に関する状態を確認できるので、３秒間の計測中に、どの音量で視聴を開始するのかの判断をより的確に行うことが可能となる。
【００５８】
（第２の処理）
すなわち、制御部１１は、ステップＳ３での現状設定音量と適音設定音量との比較の結果、現状設定音量が適音設定音量に対して一定の範囲内にないと判断した場合には、その時点で、例えば現状設定音量での出力指示を音声制御回路１６に対して行い、スピーカ１８から現状設定音量での音を出力させる。このとき、モニタ１７には、図５（ｂ）に示すようなメッセージを合わせて表示する。すなわち、「現在、現状設定音量で音を出力しています。適音設定音量はこの現状設定音量に対して−２のレベルになっています。」等のメッセージを表示する。これにより、視聴者は、視覚と聴覚の両方で、現在のテレビ装置１の音量に関する状態を確認できるので、３秒間の計測中に、どの音量で視聴を開始するのかの判断をより的確に行うことが可能となる。
【００５９】
（第３の処理）
すなわち、制御部１１は、ステップＳ３での現状設定音量と適音設定音量との比較の結果、現状設定音量が適音設定音量に対して一定の範囲内にないと判断した場合には、その時点で、現状設定音量での出力指示と適音設定音量での出力指示とを、例えば０．５秒ごとに交互に行い、スピーカ１８から現状設定音量での音出力と、適音設定音量での音出力とを０．５秒間隔で交互に行わせる。このとき、モニタ１７には、図５（ｃ）に示すようなメッセージを合わせて表示する。すなわち、「現状設定音量はレベル１２、適音設定音量はレベル１０に設定されています。」等のメッセージを表示する。これにより、視聴者は、視覚と聴覚の両方で、現状設定音量と適音設定音量とを比較しながら確認できるので、３秒間の計測中に、どの音量で視聴を開始するのかの判断をより的確に行うことが可能となる。
【実施例４】
【００６０】
本実施例４は、晩や深夜等の騒音の比較的少ない環境での視聴と、昼間の外部騒音や室内騒音（掃除機の音等）の比較的多い環境での視聴とでは、自ずと視聴の適音は異なってくることを考慮した実施例である。すなわち、本実施例４では、このような視聴の時間帯を考慮し、例えば朝用（例えば午前６時から午前９時まで）の適音設定音量としてレベル１０、昼用（例えば午前９時から午後６時まで）の適音設定音量としてレベル１２、夜用（例えば午後６時から翌日の午前６時まで）の適音設定音量としてレベル８、の３種類の適音設定音量を視聴者が予め設定したとする。これらの設定レベルは、メモリ部２１に記憶される。
【００６１】
このようにして時間帯に応じた複数の適音設定音量がメモリ２１に記憶されていることを前提として、以下本実施例４の処理動作を、図６に示すフローチャートを参照して説明する。
【００６２】
すなわち、制御部１１は、リモコン３からの電源オンの操作信号を常に監視している（ステップＳ２１）。そして、電源オンの操作信号が送信されてきた場合には、時計部２０の計時時刻（現在時刻）を参照して、その操作信号が送信されてきた時間帯を確認し（ステップＳ２２）、その確認した時間帯に応じて処理を分岐する。すなわち、送信されてきた時間帯が朝用として設定された時間帯であった場合には、制御部１１は、メモリ部２１に記憶されている複数の適音設定音量のうち、朝用として記憶されている適音設定音量（レベル１０）をその後の音量制御処理に採用する（ステップＳ２３）。また、送信されてきた時間帯が昼用として設定された時間帯であった場合には、制御部１１は、メモリ部２１に記憶されている複数の適音設定音量のうち、昼用として記憶されている適音設定音量（レベル１２）をその後の音量制御処理に採用する（ステップＳ２４）。また、送信されてきた時間帯が夜用として設定された時間帯であった場合には、制御部１１は、メモリ部２１に記憶されている複数の適音設定音量のうち、夜用として記憶されている適音設定音量（レベル８）をその後の音量制御処理に採用する（ステップＳ２５）。
【００６３】
この後の処理は、上記実施例１で説明したステップＳ３以降の処理と同じであるので、ここではその後の処理の説明を省略する。これにより、視聴を開始する時間帯に合わせて、視聴環境に合わせた適音設定音量にて視聴を開始することができるため、テレビ装置1の電源オン時にいきなり大きな音が出て、あわてて音量を小さくするといったことを回避することができる。
【００６４】
なお、上記実施例4では、適音設定音量として、朝用、昼用、夜用の３種類全てを設定する構成として説明しているが、朝用または昼用または夜用のうちの１種類のみ設定し、他の時間帯についての適音設定音量は、この設定した時間帯の適音設定音量から予め設定された一定レベルだけ変更することで設定するように構成してもよい。つまり、メモリ部２１には、任意の時間帯の１種類の適音設定音量と、夜用と朝用との間のレベル差と、朝用と昼用との間のレベル差とを記憶しておくようにしてもよい。具体的には、例えば、夜用と朝用との間のレベル差をレベル２、朝用と昼用との間のレベル差をレベル２と設定しておく。そして、視聴者が、適音ボタン３４に設定する適音設定音量を昼用としてレベル１２に設定した場合、制御部１１は、適音ボタン３４が例えば朝に押された場合には、昼用として設定していたレベル１２から２段階レベルを低くしたレベル１０を適音設定音量としてその後の音量制御処理に採用するようにしてもよい。これにより、適音ボタン３４で電源がオンされた場合には、朝用の適音設定音量であるレベル１０の音量で視聴が開始されることになる。
【００６５】
なお、この一定レベル（レベル差）は視聴者により設定可能に設けられていてもよいし、最初から固有の値として装置内部に設定されていてもよい。
【図面の簡単な説明】
【００６６】
【図１】本発明の一実施形態に係るテレビ装置の全体構成の一例を示すブロック図である。
【図２】適音設定音量の設定処理時にモニタに表示される画面例を示す説明図である。
【図３】本実施形態のテレビ装置の基本的な音量制御処理動作を説明するためのフローチャートである。
【図４】モニタに表示される音量表示の一例を示す説明図である。
【図５】モニタに表示される音量表示の一例を示す説明図である。
【図６】実施例４の音量制御処理動作を説明するためのフローチャートである。
【符号の説明】
【００６７】
１  テレビ装置
２  アンテナ
３  リモコン
１１  制御部
１２  リモコン受光回路
１４  チューナ
１５  表示制御回路
１６  音声制御回路
１７  モニタ
１８  スピーカ
１９  タイマー回路
２０  時計部
２１  メモリ部
３１  電源ボタン
３２  切換ボタン
３３  ボリュームボタン
３４  適音ボタン
【図１】
2007081617.tif 000003
【図２】
2007081617.tif 000004
【図３】
2007081617.tif 000005
【図４】
2007081617.tif 000006
【図５】
2007081617.tif 000007
【図６】
2007081617.tif 000008